(57)【要約】【課題】ＭＡＨＨＯにおいて瞬断の発生を極力抑えることのできる、無線通信端末および無線通信システムにおけるハンドオフ方法を提供する。【解決手段】無線通信端末１は、通信部１１が使用する周波数を切替えて無線通信を実行する制御部１２を備え、制御部１２は、通信中に、ハンドオフ候補周波数のサーチおよびサーチ結果の報告を要求するサーチ要求を通信部１１が受信すると、当該通信部１１をハンドオフ候補周波数に切替えてサーチを行い、当該サーチを開始してから所定時間経過したときにハンドオフ候補の条件を満たす周波数が複数見つかっていればサーチを止めるとともに通信部１１を元の周波数に切り替え、条件を満たす周波数に関する情報をサーチ結果として通信部１１に送信させ、所定時間経過しても条件を満たす周波数が複数見つかっていなければ引き続きハンドオフ候補周波数のサーチを行うように制御する。【選択図】図３
2008160463.tif 000002
【特許請求の範囲】
【請求項１】
複数の基地局との間で無線通信を行う無線通信端末であって、
複数の周波数の中から一つを選択して無線通信を行う通信部と、
前記通信部が使用する周波数を切替えて無線通信による通話を行う制御部と、を備え、
前記制御部は、
通信中に、ハンドオフ候補周波数のサーチおよびサーチ結果の報告を要求するサーチ要求を前記通信部が受信すると、前記通信部をハンドオフ候補周波数に切替えてサーチを行い、当該サーチを開始してから所定時間経過したときにハンドオフ候補の条件を満たす周波数が複数見つかっていればサーチを止めるとともに前記通信部を元の周波数に切り替え、前記条件を満たす周波数に関する情報をサーチ結果として前記通信部に送信させ、所定時間経過しても前記条件を満たす周波数が複数見つかっていなければ引き続きハンドオフ候補周波数のサーチを行う
ことを特徴とする無線通信端末。
【請求項２】
前記周波数のうち、かつて使用した周波数の使用履歴を記憶する記憶部をさらに備え、
前記制御部は、
前記サーチ要求を受信してハンドオフ候補周波数のサーチを行うとき、前記使用履歴に基づいてサーチする
ことを特徴とする請求項１に記載の無線通信端末。
【請求項３】
前記制御部は、
前記使用履歴に基づいてサーチを行う際、履歴の新しいものから順にサーチし、前記使用履歴にある周波数全てをサーチし終えると、前記複数の周波数のうち、使用履歴に無い周波数についてサーチする
ことを特徴とする請求項２に記載の無線通信端末。
【請求項４】
前記制御部は、
前記サーチ要求を受信すると、受信したサーチ要求に基づいてサーチ規定時間を特定し、当該サーチ規定時間よりも短い時間を前記所定時間として設定する
ことを特徴とする請求項１から３のいずれか一項に記載の無線通信端末。
【請求項５】
複数の基地局との間で無線通信を行う無線通信端末において、現在通信中の周波数から他の周波数に通信チャネルを切り替えて通話を継続するハンドオフ方法であって、
ハンドオフ候補周波数のサーチを要求するサーチ要求を受信するサーチ要求受信ステップと、
通信中に前記サーチ要求受信ステップが生じると、ハンドオフ候補周波数に切替えてサーチを行う候補周波数サーチステップと、
前記候補周波数サーチステップが生じてから所定時間経過したときに、ハンドオフ候補の条件を満たす周波数が複数見つかっているかどうか判定する判定ステップと、
前記判定ステップにて前記条件を満たす周波数が複数見つかっている場合、サーチを止めるとともに元の周波数に切り替えるサーチ停止ステップと、
前記判定ステップにて所定時間経過しても条件を満たす周波数が複数見つかっていない場合、ハンドオフ候補周波数のサーチを継続するサーチ継続ステップと、
前記元の周波数にて、前記条件を満たす周波数に関する情報をサーチ結果として送信させる結果報告ステップと、
を有することを特徴とするハンドオフ方法。
【発明の詳細な説明】
【技術分野】
【０００１】
本発明は、ハードハンドオフを行う無線通信端末および無線通信端末におけるハンドオフ制御に関する。
【背景技術】
【０００２】
近年、無線通信システムにおいて使用する周波数帯の有効利用を図ると共に、使用周波数帯を世界標準仕様に合わせるために、周波数帯の再編が検討されている。
【０００３】
例えば、ＣＤＭＡ２０００ １ｘ（Code Division Multiple Access 2000 1x）使用の無線通信システムにおいて、現在、日本国内では日本仕様の８００ＭＨｚ帯（以下、旧８００ＭＨｚ帯）が用いられているが、この周波数帯が世界標準仕様である新８００ＭＨｚ帯へ再編される予定である。なお、旧８００ＭＨｚ帯と新８００ＭＨｚ帯とでは、使用する周波数帯のうち上り、下りの割り当て等が相違している。
こうした背景から、現在の周波数帯（旧８００ＭＨｚ帯）、新たな周波数（新８００ＭＨｚ帯）、及び周波数帯（２ＧＨｚ帯）での通信が可能なマルチバンド対応の無線通信端末が開発されている。
【０００４】
ＣＤＭＡ２０００ １ｘにおいて、基地局の一つは、パイロット符号により分割されたセクタを１以上有しており、各セクタは通信を行うためのチャネルがそれぞれ１つずつ割り当てられている。
そして無線通信端末は、いずれかのチャネルを用いて基地局と通信を行うことになる。以下、基地局１つに対して１つのパイロット符号が対応付けられている（つまり基地局１つに対してそれぞれチャネルが１つだけ割り当てられている）例を用いて簡単に説明を行う。
【０００５】
上記した複数の周波数帯を利用できるマルチバンド対応の無線通信端末と、複数の周波数帯を利用する無線通信システムにおいては、無線通信端末が移動した際に、現在通信を行っている基地局から異なる周波数帯の基地局に切替える必要が生じる。
通信を行う基地局（通信チャネル）を切替える機能はハンドオフ（或いはハンドオーバ）と呼ばれ、ハンドオフにはソフトハンドオフとハードハンドオフの２種類が存在する（例えば、特許文献１参照）。
【０００６】
ソフトハンドオフとは、周波数を切替えずに行うハンドオフであり、ＣＤＭＡ固有のハンドオフ方法である。現在通信中の基地局（ハンドオフ元チヤネル）と新しく通信したい基地局（ハンドオフ先チャネル）を一時的に同時通信状態にした後、基地局の切替え処理を行う。
【０００７】
具体的には、現在通信中の基地局は、近隣の基地局リストを出力しており、無線通信端末がこれを受信してリスト中の各基地局とのパイロット信号の信号強度を測定し、この結果を無線通信端末が現在通信中の基地局に送信し、当該結果を基に基地局がハンドオフ先の基地局を決定し、これにより、基地局主導により周波数帯の変更（通信システムの移行）を伴わないハンドオフが行われる。
【０００８】
上記したように、ソフトハンドオフでは無線通信端末が常に１つ以上の基地局と通信を行っているため、ハンドオフ時に通信が途切れない。しかし、ソフトハンドオフは常に可能である訳ではない（２つの基地局がその携帯端末に対して同一の周波数でサービスを提供できない場合等はソフトハンドオフできない）ため、ハードハンドオフが行われる。
ハードハンドオフは、第１の基地局から第２の基地局へ通信を移行する際に、第２の基地局に通信を切替える直前まで第１の基地局との通信を維持してから、周波数帯の切替えを行う。このため、周波数帯の切替え時に通信の瞬断が生じてしまう。
【０００９】
ＩＭＴ−２０００規格の１つであるＣＤＭＡ２０００ １ｘ方式において、ハードハンドオフを行う場合には、ＤＡＨＨＯ（Data Assisted Hard Hand OFF）と、ＭＡＨＨＯ（Mobile Assisted Hard Hand Off）の２つの方式が利用可能である。
【００１０】
以下それぞれについて説明する。すなわち、ＤＡＨＨＯは、携帯端末がハンドオフ前に他周波数のサーチを行わず、第１の基地局が直接指定した第２の基地局に対してハンドオフを実行する方式である。
また、ＤＡＨＨＯでは、携帯端末の情報を参照せず、第１の基地局が一方的に第２の基地局を指定するため、携帯端末が第１の基地局の指定した第２の基地局を捕捉できる保証はなく、ハンドオフに失敗する可能性が比較的高い。
【００１１】
一方、ＭＡＨＨＯでは、携帯端末は現在通信中の第１の基地局から指定された異なる周波数帯の近隣の基地局（チャネル）リストを受信し、第１の基地局からのサーチ命令に従って、指定されたリストの周波数に一瞬だけ切替えてリスト内の基地局（チャネル）のサーチを行う。リスト内の基地局のサーチにおいて、携帯端末はリスト中の全ての基地局（チャネル）とのパイロット信号のエネルギー強度を測定する。
携帯端末は、周波数を再度元の周波数に切替えて、測定した全ての基地局（チャネル）のエネルギー強度を第１の基地局に報告し、第１の基地局は、報告されたエネルギー強度を基にリスト中の基地局から第２の無基地局を決定する。そして、第２の基地局に通信を切替えるための指示を携帯端末に送信して、携帯端末はこの指示に従って音声通話中においてはハンドオフを実行する。
【特許文献１】特開２００３−２４４７４２号広報
【発明の開示】
【発明が解決しようとする課題】
【００１２】
上記したＭＡＨＨＯにおいては、無線通信端末は第１の基地局から受信した異なる周波数の近隣の基地局リスト中の全ての基地局のパイロット信号のエネルギー強度を測定する際に、第１の基地局との通信時の周波数から周波数を一時切替えて測定していたため、第１の基地局との信号が一時途切れてしまい（瞬断）、例えば、例えば、音声通話中に無音時間が発生してしまうという不都合があった。
【００１３】
瞬断を抑えるためには、周波数切替えの回数、および時間を抑えればよいが、周波数切替えの回数および時間を抑えるためには、パイロット信号のエネルギー強度測定を行う基地局（チャネル）の数を減らすことも考えられる。しかしながら、従来のＭＡＨＨＯにおいては、測定する基地局（チャネル）の数を減らすと、ハンドオフ候補の数自体が減ってしまうため、ハンドオフ先として有効な基地局（チャネル）を見つけられず、ハンドオフに失敗してしまう可能性が高まってしまう。
【００１４】
本発明は上記した課題を解決するためになされたものであり、ＭＡＨＨＯにおいてハンドオフ候補を減らすことなく、瞬断の発生による影響を極力抑えることのできる、無線通信端末および無線通信端末におけるハンドオフ方法を提供することを目的とする。
【課題を解決するための手段】
【００１５】
本発明の第１の観点の無線通信端末は、複数の基地局との間で無線通信を行う無線通信端末であって、複数の周波数の中から一つを選択して無綜通信を行う通信部と、前記通信部が使用する周波数を切替えて無線通信による通話を行う制御部と、を備え、前記制御部は、通信中に、ハンドオフ候補周波数のサーチおよびサーチ結果の報告を要求するサーチ要求を前記通信部が受信すると、前記通信部をハンドオフ候補周波数に切替えてサーチを行い、当該サーチを開始してから所定時間経過したときにハンドオフ候補の条件を満たす周波数が複数見つかっていればサーチを止めるとともに前記通信部を元の周波数に切り替え、前記条件を満たす周波数に関する情報をサーチ結果として前記通信部に送信させ、所定時間経過しても前記条件を満たす周波数が複数見つかっていなければ引き続きハンドオフ候補周波数のサーチを行う。
【００１６】
また、上記した無線通信端末において、前記周波数のうち、かつて使用した周波数の使用履歴を記憶する記憶部をさらに備え、前記制御部は、前記サーチ要求を受信してハンドオフ候補周波数のサーチを行うとき、前記使用履歴に基づいてサーチする構成としてもよい。
【００１７】
また、上記した無線通信端末において、前記制御部は、前記使用履歴に基づいてサーチを行う際、履歴の新しいものから順にサーチし、前記使用履歴にある周波数全てをサーチし終えると、前記複数の周波数のうち、使用履歴に無い周波数についてサーチする構成としてもよい。
【００１８】
また、上記した無線通信端末において、前記制御部は、前記サーチ要求を受信すると、受信したサーチ要求に基づいてサーチ規定時間を特定し、当該サーチ規定時間よりも短い時間を前記所定時間として設定するように構成してもよい。
【００１９】
本発明の第２の観点の無線通信端末におけるハンドオフ方法は、複数の基地局との間で無線通信を行う無線通信端末において、現在通信中の周波数から他の周波数に通信チャネルを切り替えて通話を継続するハンドオフ方法であって、ハンドオフ候補周波数のサーチを要求するサーチ要求を受信するサーチ要求受信ステップと、通信中に前記サーチ要求受信ステップが生じると、ハンドオフ候補周波数に切替えてサーチを行う候補周波数サーチステップと、前記候補周波数サーチステップが生じてから所定時間経過したときに、ハンドオフ候補の条件を満たす周波数が複数見つかっているかどうか判定する判定ステップと、前記判定ステップにて前記条件を満たす周波数が複数見つかっている場合、サーチを止めるとともに元の周波数に切り替えるサーチ停止ステップと、前記判定ステップにて所定時間経過しても条件を満たす周波数が複数見つかっていない場合、ハンドオフ候補周波数のサーチを継続するサーチ継続ステップと、前記元の周波数にて、前記条件を満たす周波数に関する情報をサーチ結果として送信させる結果報告ステップと、を有する。
【発明の効果】
【００２０】
本発明によれば、ＭＡＨＨＯにおいて瞬断の影響を極力抑えることのできる、無線通信端末および無線通信端末におけるハンドオフ方法を提供することができる。
【発明を実施するための最良の形態】
【００２１】
以下、本発明の実施の形態にかかわる無線通信端末および無線通信端末におけるハンドオフ方法について説明するが、その前に、無線通信端末１が基地局２（基地局Ａ）を使って通信を行なっているときに、異なる周波数の基地局２（基地局Ｂ）に対してＭＡＨＨＯ動作を行う場合の無線通信システムの代表的なシーケンスについて、図１を参照しながら説明する。
【００２２】
上記したように、ＭＡＨＨＯは、ＣＤＭＡの基地局２が、移動局となる無線通信端末１によって測定された基地局のエネルギー強度を元にして、ハードハンドオフ先の基地局２を決定する方法であり、周波数間ハードハンドオフの成功率を高め、呼の切断を発生しにくくさせる効果を有する。
ＭＡＨＨＯは、無線通信端末１から報告されるパイロット信号強度測定結果であるＰＰＳＭＭ（Periodic Pilot Strength Measurement Message）を監視し、自局のエネルギー強度が一定以下になったことを契機にハンドオフを開始することからＰＰＳＭＭベースドと呼ぶ。
【００２３】
具体的に、図１において、基地局２（基地局Ａ）は、無線通信端末１に対して、パイロット信号強度測定要求であるＰＰＭＲＯ（Periodic Pilot Measurement Request Order）を送出し（ＳＴ１０１）、無線通信端末１が受信している自局のエネルギー強度を定期的に報告するよう依頼する。これに対し、無線通信端末１は、基地局２に対して、ＰＰＳＭＭ（Periodic Pilot Strength Measurement Message）を送出し、基地局２におけるエネルギー強度を報告する（ＳＴ１０２）。
報告は、先のＰＰＭＲＯで指定された間隔（０．８〜１０．０８秒、通常は２〜４秒程度）で定期的に送出されるが、ＰＰＭＲＯで閾値が指定された場合に限り、閾値を満たさない間はトラフィックの混雑を避ける目的で無線通信端末１は報告を免除される。
【００２４】
次に、基地局２（基地局Ａ）は、ＰＰＳＭＭで報告された自局のエネルギー強度を判定し、一定以下になった場合には呼が消失する可能性があるとみなす。このとき、この可能性を低減させるため、基地局２（基地局Ａ）は、無線通信端末１に対し、ハンドオフ候補サーチ要求メッセージ（ＣＦＳＲＱＭ：Candidate Frequency Search Request Message）を送出し（ＳＴ１０３）、ハンドオフ候補システムの周波数、基地局リスト、サーチウィンドウサイズ、サーチ間隔、閾値などのパラメータを伝える。
ここで、重要なパラメータの一つにサーチタイプがあり、これは、「０＝サーチ停止」、「１＝シングルサーチ開始」、「３＝定規的サーチ開始」の３段階のうちいずれかを示す。「０＝サーチ停止」は、無線通信端末１に各種パラメータの情報だけを渡し、実際のサーチは行わずに止めておくときに使用できる。「１＝シングルサーチ開始」は、無線通信端末１に１回だけサーチを行わせ、結果を報告させるときに使用できる。「３＝定期的サーチ開始」は、移動局に定期的にサーチを行わせ、結果を定期的に報告させるときに使用できる。
【００２５】
網はトラフィック状態や地理的な状況に応じて、３種類のサーチタイプを使い分けることができる。
【００２６】
続いて、無線通信端末１が基地局２（基地局Ｂ）に対してハンドオフ候補サーチ応答メッセージ（ＣＦＳＲＳＭ：Candidate Frequency Search Response Message）を送出してＣＦＳＲＱＭを受理したことを伝える（ＳＴ１０４）。
これに対し、基地局２（基地局Ｂ）は、無線通信端末１に対してＣＦＳＣＮＭ（Candidate Frequency Search Control Message）を送出し、サーチタイプを「１＝シングルサーチ開始」と指定する（ＳＴ１０５）。
ここでは、ＣＦＳＲＱＭと違い、サーチタイプ以外のパラメータを一切搬送しないため、トラフィックに与える影響は軽微である。ハンドオフ候補システムの周波数システムの周波数やパイロットリストなどのパラメータが固定的であり減多に変更されない状態であるなら、網はサーチタイプの変更だけを行わせたいときに限り、トラフィックに悪影響を与えないようＣＦＳＣＮＭを使用することができる。
【００２７】
次に、無線通信端末１が基地局２（基地局Ａ）に対してハンドオフ候補サーチレポートメッセージ（ＣＦＳＲＰＭ：Candidate Frequency Search Report Message）を送出し、ＧＦＳＲＱＭで指定された候補システムのパイロットの測定結果を報告する（ＳＴ１０６）。このとき候補周波数サーチ（ＣＦＳ：Candidate Frequency Search）が行われる。
この時点でハンドオフできるくらいの強度を持った候補周波数の基地局が報告されれば、基地局２（基地局Ａ）は無線通信端末１に対してハンドオフを行うよう要求することができるが、ハンドオフ条件が満たされない場合には、基地局２（基地局Ａ）は引き続きＣＦＳＲＱＭを送出し、サーチタイプを「３＝定期的サーチ開始」と指定する（Ｓ１０７）。
続いて、無線通信端末１が基地局２（基地局Ａ）に対してハンドオフ候補サーチ応答メッセージ（ＣＦＳＲＳＭ：Candidate Frequency Search Response Message）を送出してＣＦＳＲＱＭを受理したことを伝える（ＳＴ１０８）。
【００２８】
無線通信端末１は、基地局２（基地局Ａ）に対してＣＦＳＲＰＭを送出し、ＣＦＳＲＱＭで指定された候補システムのパイロットの測定結果を定期的に報告する（ＳＴ１０９）。このとき候補周波数サーチ（ＣＦＳ：Candidate Frequency Search）が行われる。報告はＣＦＳＲＱＭで指定されたサーチ周期（０．４８〜２００秒、通常２〜４秒程度）で定期的に送出されるが、ＣＦＳＲＱＭで閾値が指定された場合に限り、閾値を満たさない間はトラフィックの混雑を避ける目的で無線通信端末１は報告を免除される。
ハンドオフを満たす基地局が報告されたことを受け、基地局２（基地局Ａ）は無線通信端末１に対してハンドオフ要求メッセージ（ＵＨＤＭ：Universal Hand Off Direction Message）を送出し、候補周波数の基地局２（基地局Ｂ）へのハンドオフ要求を行う（ＳＴ１１０）。
無線通信端末１は指定されたとおりハンドオフを実施し、新しい基地局２（基地局Ｂ）に対してハンドオフ完了メッセージ（ＥＨＯＣＭ：Extended Hand Off Completion Message）を送出して、ＭＡＨＨＯ動作が完了する（ＳＴ１１１）。
【００２９】
図２は、上記したＭＡＨＨＯ使用時における無線通信端末１の動作を説明するために引用したフローチャートである。
【００３０】
ハンドオフ時、無線通信端末１は、ＭＡＨＨＯによるハンドオフを行うものとする。ＭＡＨＨＯとは、上記したように、無線通信端末１が、ある一個の基地局２と通信を行っている最中に、現在使用している周波数から他の周波数に切替えてパイロット信号の信号強度が強い他の基地局２からサーチし、最も信号強度が強い基地局２に通信を切替えるハンドオフ方式である。ここでは、無線通信端末１と基地局２とは予め通話中（通信中）であるものとして説明を行う。
【００３１】
図２において、携帯電話端末１が通話中（ＳＴ２０１“Ｙｅｓ）、基地局２から無線通信端末１に対して近隣基地局リスト（以下、Ｎ−Ｌｉｓｔ：Neighbor-Listと称する）が送信される。ここで、Ｎ−Ｌｉｓｔとは、ハンドオフ時にも使用される近隣の基地局２及びそのＰＮ（Pseudo Noise）符号に関する情報のリストである。無線通信端末１は、通話中に基地局２から受信したＮ−Ｌｉｓｔにしたがって、リスト中の全ての基地局２のパイロット信号の信号強度を測定する（ステップＳＴ２０２）。
無線通信端末１は、ステップＳＴ２０１で測定した近隣の基地局２のパイロット信号の信号強度を基に、強度が強い順に基地局を並べたリスト（エネルギー強度リスト：Ｅ−Ｌｉｓｔ）を作成する（ＳＴ２０３）。なお、ステップＳＴ２０１およびＳＴ２０２の処理は、本発明の実施の形態において説明するハードハンドオフのためにのみ行われる処理ではなく、通話中におけるソフトハンドオフなどのために行われているものであって、ここで測定しておいた信号強度に基づいてソフトハンドオフの処理等が行われる。
【００３２】
続いて、基地局２は無線通信端末１に対し、ハンドオフ候補サーチ要求メッセージ（ＣＦＳＲＱＭ）を送信し、これを受信した（ＳＴ２０４）無線通信端末１は、基地局２に対してハンドオフ候補サーチ応答メッセージ（ＣＦＳＲＳＭ）を送信する（ＳＴ２０５）。
無線通信端末１は、ステップＳＴ２０４において送信されたハンドオフ候補サーチ要求メッセージ（ＣＦＳＲＱＭ）中の無線通信端末１の近隣に存在するハンドオフ候補基地局リストと、ステップＳＴ２０３で作成したＥ−Ｌｉｓｔとの両方に存在する基地局を抽出する（ＳＴ２０５）。
【００３３】
ところで、ステップＳＴ２０３で作成されるＥ−Ｌｉｓｔと、ステップＳＴ２０６で抽出されるハンドオフ候補局リストは、周波数帯がまったく異なるものである。Ｅ−Ｌｉｓｔはハンドオフ前に使用しているバンドクラスでの他の基地局リストであり、ハンドオフ候補基地局リストは使用していないバンドクラスでの基地局リストである。
ステップＳＴ２０６では、このバンドクラスに関しては無視し、基地局識別コードに基づいて、ハンドオフ候補基地局リスト内の基地局のうち、Ｅ−Ｌｉｓｔにも存在する基地局を特定する。さらに、Ｅ−Ｌｉｓｔ内での信号強度の大きい順に上位を特定し、残りのＥ−Ｌｉｓｔにない基地局については、ハンドオフ候補基地局リストにおける優先順位を用いてハンドオフ候補として捕捉すべき順序を示す基地局のリストを生成する。なお、このリストはあくまで概念上のものであり、実際にリスト化する必要はなく、捕捉すべき順位さえ特定できれば良い。
【００３４】
無線通信端末１は、ステップＳＴ２０４において基地局２から送信されたハンドオフ候補サーチ要求メッセージ（ＣＦＳＲＱＭ）中の切替えるべき新しい周波数の指定情報にしたがって、通信を行う周波数帯を指定された周波数帯に切替える（ＳＴ２０７）。続いて、ステップＳＴ２０６で抽出した基地局２の中で、Ｅ−Ｌｉｓｔの上位の基地局から（すなわち他のバンドクラスにおけるパイロット信号の信号強度が強い基地局から）順にステップＳＴ２０７で切替えた周波数帯における信号強度の測定を行う（ＳＴ２０８）。
すなわち、ステップＳＴ２０６で抽出された基地局は、Ｅ−Ｌｉｓｔにおいて上位である順に並べ替えられ、この順番に周波数帯を切替えてのパイロット信号の信号強度測定が行われる。ここで、Ｅ−Ｌｉｓｔ中の、ハンドオフ候補サーチ要求メッセージ（ＣＦＳＲＱＭ）中の無線通信端末１の近隣に存在する他の基地局のリストにない基地局については、リストにある基地局の信号強度測定が全て終了してから測定を行う。
【００３５】
なお、ハンドオフ候補サーチ要求メッセージ（ＣＦＳＲＱＭ）中の無線通信端末１の近隣に存在する他の基地局のリストと、ステップＳＴ２０３で作成したＥ−Ｌｉｓｔとに一致する基地局２が存在しなかった場合には、Ｅ−Ｌｉｓｔとは関係なく、ハンドオフ候補サーチ要求メッセージ（ＣＦＳＲＱＭ）中の携帯端末の近隣に存在する他の基地局のリスト中の基地局のパイロット信号の信号強度測定を行う。
【００３６】
無線通信端末１は、ステップＳＴ２０８で捕捉処理を行い、予め設定されたハンドオフ条件を満たすものがあれば（ＳＴ２０９“Ｙｅｓ”）ステップＳＴ２１０の処理に進み、なければステップＳＴ２０７の処理に戻る。
すなわち、上位から順に信号強度測定を行っている際、１個の基地局について信号強度を判定する毎に予め設定された条件を満たすかどうかを判定し、予め設定されたハンドオフ条件を満たすとすぐにステップＳＴ２１０の処理に進むようにしておく。これにより、ハンドオフのために携帯端末１が周波数を切替えて通信のできなくなる時間を極力短くすることができる。なお、予め設定されたハンドオフ条件は、例えば信号強度が所定の値以上等である。
ステップＳＴ２１０では、無線通信端末１は、ステップＳＴ２０７で切替えた周波数から、以前に通信していた基地局２との通信時に使用していた周波数に切替える。そして、基地局２に対し、ハンドオフ候補周波数サーチレポートメッセージ（ＣＦＳＲＰＭ）を送信する（ＳＴ２１１）。ハンドオフ候補周波数サーチレポートメッセージ（ＣＦＳＲＰＭ）は、ステップＳＴ２０８で行った信号強度測定の結果のレポート情報を含むメッセージである。
【００３７】
基地局２では、ステップＳＴ２１１で携帯端末１が送信したハンドオフ候補周波数サーチレポートメッセージ（ＣＦＳＲＰＭ）を基に、ハンドオフに適した基地局２にハンドオフ先の基地局を設定する。
具体的には、無線通信端末１からは、レポート送信時点での優良な（信号強度の充分に大きい）電波状況と推定されるチャネルを示す基地局の情報が通知されているはずであり、無線通信端末１からレポート報告された時点のトラフィック状況に応じてレポート報告された候補の基地局へのハンドオフ、特にハードハンドオフ指定する周波数帯についてのハンドオフについて許可できるか否か判定する。そして許可できるならばこの基地局をハンドオフ先として設定することとなる。
【００３８】
基地局２は、無線通信端末１に対し、ハンドオフ要求メッセージ（ＵＨＤＭ）を送信する。ハンドオフ要求メッセージ（ＵＨＤＭ）は、先に基地局２が決定したハンドオフ先の基地局２の情報を含むメッセージである。
ハンドオフ要求メッセージを受信した無線通信端末１は（ＳＴ２１２“Ｙｅｓ”）、基地局２から送信されたハンドオフ要求メッセージ（ＵＨＤＭ）中のハンドオフ先の基地局の情報を基に、周波数帯を切替えてハンドオフを実行する（ＳＴ２１３）。そして、携帯端末１は、基地局２に対してハンドオフ先の通信システムでハンドオフ完了メッセージ（ＥＨＯＣＭ）を送信する（ＳＴ２１４）。ハンドオフ送信メッセージ（ＥＨＯＣＭ）は、指定された基地局２へのハンドオフが完了したことを報知するメッセージである。
【００３９】
以上説明のように、無線通信端末１は、ステップＳＴ２０３で、自身が現在使用中の周波数における近隣の基地局２のパイロット信号の信号強度の強い順に並べたリストであるＥ−Ｌｉｓｔを予め作成している。これは、基地局２が、周波数が異なっても同一のパイロット信号が送出している場合には、周波数帯が異なってもパイロット信号の信号強度が近似すると考えられることを利用すれば、同じ基地局であるため、電波環境も近似しており、現在の周波数帯パイロット信号の信号強度が強かった基地局２に対して周波数帯切替え後もパイロット信号の信号強度が強いとみなすことができるからである。
すなわち、無線通信端末１は、Ｅ−Ｌｉｓｔの上位にある現在使用中の周波数においてパイロット信号の信号強度が強い基地局とみなして、周波数帯切替え後に信号強度測定を行う際にＥ−Ｌｉｓｔの上位から順に信号強度測定を行うことによって、早い段階でハンドオフ条件を満たす基地局を見つけることができる可能性が高くなる。
【００４０】
また、無線通信端末１が高速で移動しているときなど、Ｅ−Ｌｉｓｔに記載される基地局２のカバーするエリアから無線通信端末１が大きく移動している場合にハードハンドオフ処理が開始されると、処理開始時点ですでにＥ−Ｌｉｓｔに記述される基地局２とハンドオフ候補基地局リストで指定される基地局が一致しないことが生じうる。この場合にも、ハンドオフ候補リストで指定される基地局２については必ず信号強度測定対象から落ちてしまうことがないため、ハンドオフ候補の基地局を見失ってしまうことがない。
【００４１】
このように、無線通信端末１が現在使用中の周波数において、現在通信中の基地局２が送出しているソフトハンドオフ時に使用される近隣基地局リストＮ−Ｌｉｓｔ中の基地局のパイロット信号の信号強度を測定しＥ−Ｌｉｓｔを作成することによって、実際に周波数帯を切替えて信号強度測定を行う前に、パイロット信号の信号強度が強いと予想できる基地局２を予めＥ−Ｌｉｓｔに抽出しているため、周波数帯を切替えてからの信号強度測定の際にＥ−Ｌｉｓｔの上位にある基地局から順に測定を行うことによって、早い段階でハンドオフ条件を満たす基地局２を見つけることができる可能性が高くなる。
すなわち、早い段階でハンドオフ条件を満たす基地局２を見つけられる可能性が高いため、ハンドオフのための信号強度測定に掛かる時間が短くて済み、ハンドオフに起因する瞬断をなくす、あるいは軽減することができる。
【００４２】
但し、上記したＭＡＨＨＯ動作によれば、ハンドオフ候補のうち、信号強度が所定の条件を満たす１つが抽出された段階で、当該抽出されたハンドオフ候補周波数について通信中の基地局２に報告するため、基地局２は、同様の環境下にある複数の無線通信端末１に対しハンドオフ先として同じ周波数帯を指定することになる。したがって、ハンドオフのためのトラフィックが増加する可能性があり、最悪、ハンドオフすることができずにロストしてしまう無線通信端末１が出てくる可能性もある。
このため、ここでは、基地局２に報告するハンドオフ候補周波数を複数設定でき、かつ、音切れの時間を短縮することによりユーザに意識させにくくする音切れ対策の効果も失わないようにしたものである。
【００４３】
図３は、本発明の実施の形態に係わる無線通信端末の内部構成を示すブロック図である。図３に示されるように、無線通信端末１は、通信部１１、制御部１２、記憶部１３、音声処理部１４、スピーカ１５（ＳＰ）、マイク１６（ＭＩＣ）、表示部１７、および操作部１８から構成される。
【００４４】
通信部１１は、基地局２のいずれかによって割り当てられるチャネルを介して当該基地局２との間で無線信号の送受信を行う。
この通信部１１は、複数の周波数帯での無線信号の送受信が可能であり、具体的には、現行の周波数帯（旧８００ＭＨｚ帯）、新たな周波数帯（新８００ＭＨｚ帯）、および高周波の周波数帯（２ＧＨｚ帯）を用いた無線信号の送受信が可能である。
【００４５】
なお、上記したそれぞれ異なる周波数帯の通信システムには、基地局２と無線通信端末１間で周波数帯を識別するための識別番号として、３ＧＰＰ２（3rd Generation Partnership Project2）で規定されたバンドクラスが付与されている。
例えば、一つの基地局２から無線通信端末１に報知される情報の中に近隣基地局リスト（Ｎ−ｌｉｓｔ）等において、無線通信端末１の周辺に存在する通信システムを無線通信端末１に報知する等のためにこのバンドクラスが使用される。なお、現在の周波数帯（旧８００ＭＨｚ帯）はバンドクラス３、新たな周波数帯（新８００ＭＨｚ帯）はバンドクラス０、高周波の周波数帯（２ＧＨｚ帯）はバンドクラス６にそれぞれ分類されている。これらの周波数帯には予め優先度が設定されており、バンドクラス６の優先度が最も高く、次いでバンドクラス０であり、バンドクラス３の優先度が最も低い。
なお、ここで説明したバンドクラスおよび優先度はあくまで一例であって、通信事業者のインフラ配備状況に大きく左右される。
【００４６】
通信部１１は、上記したバンドクラスによって基地局２との通信時の周波数帯を識別する。制御部１２は、無線通信端末１の動作を制御する。具体的には、通信部１１から出力される信号に含まれる音声信号（音声データ）を音声処理部１４に出力するとともに、音声処理部１４から出力される音声信号を通信部１１に出力する。
また、制御部１２は、通信部１１によって上記の複数の周波数のうちいずれを用いて無線信号の送受信を行うかを制御し、基地局２からのハンドオフ要求に応じて、通信部１１にハンドオフを実行させる。ハンドオフとは、現在通信中の基地局２から別の基地局に通信対象を切替える、すなわちチャネル間移行を行う処理である。
【００４７】
制御部１２は、通信部１１が通信中の基地局２からハンドオフ候補周波数のサーチ要求を受信し、現在使用中の周波数からハンドオフ候補周波数に切替えて捕捉動作を行うときに、後述するタイマ１２６による計時を開始させてハンドオフ候補周波数のサーチを開始する。そして、ハンドオフ条件（あらかじめ設定された閾値以上の信号強度が検出される等）所定値以上を満たすハンドオフ候補周波数が検知されたときに、後述するカウンタ１２７を更新するとともに、カウンタ１２７が“２”以上をカウントした段階において、タイマ１２６が計時満了していれば、通信中の基地局２に対してカウンタ１２７がカウントした数分の周波数のサーチ結果報告を行い、計時満了していなければハンドオフ候補周波数のサーチを継続するように制御する。
このため、制御部１２は、ハンドオフ処理部１２０と、メッセージ交換部１２１と、パラメータ記憶部１２２と、サーチ制御部１２３と、パイロット信号強度測定部１２４と、周波数設定部１２５と、タイマ１２６と、カウンタ１２７とにより構成される。
【００４８】
メッセージ交換部１２１は、本無線通信端末１が基地局２との間でＭＡＨＨＯシーケンスを実行するために、図１に示した各種メッセージ（ＰＰＭＲＯ、ＰＰＳＭＭ、ＣＦＳＲＱＭ、ＣＦＳＲＳＭ、ＣＦＳＣＮＭ、ＣＦＳＲＰＭ、ＣＦＳＲＳＭ、ＣＦＳＲＰＭ、ＵＨＤＭ、ＥＨＯＣＭ）の交換を行ない、そのうち、基地局２から送信されるサーチ要求メッセージ（ＣＦＳＲＱＭ）に付属のハンドオフ候補通信システムの周波数、基地局リスト、サーチウィンドウサイズ、サーチ間隔、サーチタイプ、閾値等の各種パラメータは、パラメータ記憶部１２２に保持する。なお、パラメータ記憶部１２２は、実際は、記憶部１３の所定の領域に割り付けられ、保持される。
【００４９】
サーチ制御部１２３は、ハンドオフ処理部１２０による制御の下で、パラメータ記憶部１２２に保持された各種パラメータに基づき、通信中における近隣の基地局２やハードハンドオフ時に切替えられる基地局２のパイロットサーチを行う。ここで、「パイロットサーチ」とは、サーチウィンドウを設定し、このサーチウィンドウ内で利用可能なパイロットチャネルをマルチパスも含めてサーチする操作をいう。
【００５０】
パイロット信号強度測定部１２４は、基地局２からのパイロット信号の信号強度（すなわちパイロット信号に分割されたチャネルごとの信号強度であり、通信部１１によって受信できる電波中の使用すべきチャネル信号の強度）を測定する。
信号強度測定の方法はパイロット信号のエネルギー強度を測定する方法があるが、ここでは信号強度測定の方法について限定しない。また、周波数設定部１２５は、後述するハンドオフ処理部１２０が解析したハンドオフ指示に示される新基地局の周波数割当てに応じて通信部１１の周波数切替え制御を行う。
【００５１】
なお、ハンドオフ処理部１２０は、基地局２からハンドオフ要求メッセージ（ＵＨＤＭ）を受信したときに、上記したメッセージ交換部１２１、サーチ制御部１２３、パイロット信号強度測定部１２４、周波数設定部１２５のそれぞれを制御してハンドオフ処理を実行する。具体的には、ハンドオフ要求メッセージ（ＵＨＤＭ）を解析して、ハンドオフの種別（ソフトハンドオアとハードハンドオフの別）、周波数割り当て、パイロットＰＮ符号系列、サーチウィンドウ情報等を特定する。
また、ハンドオフ処理部１２０は、タイマ１２６とカウンタ１２７を制御し、基地局２からハンドオフ候補周波数のサーチ要求を受信して、現在使用中の周波数からハンドオフ候補周波数に切替えて捕捉動作を行うときに、タイマ１２６による計時を開始させてサーチ制御部１２３によるハンドオフ候補周波数のサーチを開始させる。そして、ハンドオフ条件を満たすハンドオフ候補周波数が検知されたときに、カウンタ１２７を更新（＋１）するとともに、カウンタ１２７が“２”以上をカウントした段階において、タイマ１２６が計時満了していれば通信中の基地局２に対し、メッセージ交換部１２１を介してカウンタ１２７がカウントした数分の周波数のサーチ結果報告を行い、計時満了していなければサーチ制御部１２３にハンドオフ候補周波数のサーチを継続するように指示する。
【００５２】
なお、上記した各ブロック１２０〜１２７がそれぞれ持つ機能は、記憶部１３に記憶されるそれぞれのプログラムを制御部１２で実行することにより達成されるものであって、制御部１２内において実体的に他のブロックと区分され内蔵されるもののみを指すのではなく、あくまで説明の簡略化のために各処理部を分けて表現したものである。
【００５３】
一方、記憶部１３は、制御部１２において処理に利用される各種のデータを記憶する。例えば、制御部１２に備わるコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。
なお、上記した記憶部１３は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００５４】
また、音声処理部１４は、ＳＰ１５から出力される音声信号やＭＩＣ１６において入力される音声信号の処理を行う。すなわち、音声処理部１４は、ＭＩＣ１６から入力される音声を増幅し、アナログ−デジタル変換を行い、更に符号化等の信号処理を施し、デジタルの音声データに変換して制御部１２に出力する。
また、音声処理部１４は、制御部１２から供給される音声データに復号化、デジタル−アナログ変換、増幅等の信号処理を施し、アナログの音声信号に変換してＳＰ１５に出力する。
【００５５】
表示部１７は、例えば、液晶表示パネルや有機ＥＬ（Electro-Luminescence）パネルなどの表示デバイスを用いて構成されており、制御部１２から供給される映像信号に応じた画像を表示する。例えば、発信時における発信先の電話番号、着信時における着信相手の電話番号、受信メールや送信メールの内容、日付、時刻、バッテリ残量、発信成否、待ち受け画面などの各種の情報や画像を表示する。
【００５６】
また、操作部１８は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１２に入力する。
【００５７】
図４は、本発明の実施の形態に係わる無線通信端末の動作を説明するために引用したフローチャートである。
以下、図４に示すフローチャートを参照しながら、図３に示した本発明の実施の形態に係わる無線通信端末の動作について詳細に説明する。
【００５８】
無線通信端末１（制御部１２のハンドオフ処理部１２０）は、基地局２から、ハンドオフ候補周波数のサーチ要求（ＣＦＳＲＱＭ）を受信することによりＭＡＨＨＯ動作を開始する（ＳＴ４０１）。ここで、現在使用中の周波数からハンドオフ候補周波数に切替えて捕捉動作を行うときに、カウンタ１２７を初期化し（ＳＴ４０２）、タイマ１２６による計時を開始（タイマスタート）させてサーチ制御部１２３によるハンドオフ候補周波数のサーチ動作を開始させる（ＳＴ４０３）。
このとき、ハンドオフ処理部１２０は、サーチ制御部１２３に対して捕捉可能性の高い周波数（ハンドオフ前のパイロットのレベルが高い順）からサーチさせるように制御する（ＳＴ４０４）。捕捉可能性を高めるためには、上記したように他システムによるサーチ結果を利用し、あるいは、直近に選択された通信システムが優先的に選択されるように順序が定義づけられたデータであるＭＲＵ（Most Recently Used）を利用する等、複数存在するが、いずれの方法でも適用可能である。
【００５９】
続いて、ハンドオフ処理部１２０は、パイロット信号強度測定部１２４により測定されるパイロット信号強度と、基地局２からパラメータ取得したパイロット閾値等とを比較してハンドオフ条件を満たすか否かを判定し、ハンドオフ条件を満たすハンドオフ候補周波数が検知されたときに（ＳＴ４０５“Ｙｅｓ”）、カウンタ１２７を更新（＋１）する（ＳＴ４０６）。また、ハンドオフ条件を満たしていなければ（ＳＴ４０５“Ｎｏ”）、ステップＳＴ４０４にて指定されている次の候補を選択するサーチ処理を継続する。そして、カウンタ１２７が“２”以上をカウントした段階において（ＳＴ４０７“Ｙｅｓ”）、タイマ１２６の計時満了（タイムアウト）判定を行う（ＳＴ４０８）。
ここで、タイマが計時満了（タイムアウト）していれば（ＳＴ４０８“Ｙｅｓ”）、ハンドオフ処理部１２０は、通信中の基地局２に対してメッセージ交換部１２１を介し、カウンタ１２７でカウントした値分のハンドオフ周波数候補のサーチ結果報告（ＣＦＳＲＰＭ）を行い（ＳＴ４０９）、計時満了していなければ（ＳＴ４０８“Ｎｏ”）、サーチ制御部１２３に対してハンドオフ候補周波数のサーチを継続するように指示してステップＳＴ４０５以降の処理を繰り返す。なお、ステップＳＴ４０７においては、実際にはタイムアウトしていようとも、カウンタが１を超えていなければ、さらに他の候補を選択してステップＳＴ４０５以降のサーチを継続する。
【００６０】
なお、ステップＳＴ４０５の判定処理において、ハンドオフ条件を満たすハンドオフ候補周波数が見つからない限りサーチが継続するよう説明したが、実際は、サーチを開始して所定時間（別途設定されるタイマによる監視時間Ｔ）が経過した場合にサーチ処理を終了する。
すなわち、サーチタイプ＝３における定期的サーチ指示の場合、基地局２から送信されるＣＦＳＲＱＭを受信したことを契機にタイマ１２６をスタートさせ（ＳＴ４０３）、このとき、タイマ１２６により計時され監視される満了時間（ｔ）は、サーチ規定時間（Ｔ）より短い時間が設定される（Ｔ＞ｔ）。
この場合、サーチ規定時間Ｔとは、サーチ処理を継続する時間であり、サーチタイプ＝３の場合、次回サーチタイミングの到来よりも１回のサーチに最低限必要な時間を差し引いた時間等が考えられる。
【００６１】
図５は、上記した無線通信端末１に対応して動作する基地局２の動作を示したフローチャートである。以下、図５に示すフローチャートを参照しながら基地局の動作について簡単に説明する。
【００６２】
基地局２は、ＭＡＨＨＯ動作開始時（ＳＴ５０１：ＰＰＭＲＯ送信）、無線通信端末１に対してハンドオフ候補周波数のサーチ要求（ＣＦＳＲＱＭ）を送信して無線通信端末１によるＭＡＨＨＯ動作開始の起動を行う（ＳＴ５０２）。
そして、無線通信端末１から、指定されたハンドオフ候補周波数のパイロットの測定結果報告（ＣＦＳＲＳＭ）の送信を待つ（ＳＴ５０３）。そして、基地局２は、２以上のハンドオフ候補周波数のパイロットの測定結果報告を受信したときに割当てる周波数（ハンドオフ先）を決定し（ＳＴ５０４）、管理下にあるＭＡＨＨＯ動作中の無線通信端末１に対してハンドオフ要求メッセージ（ＵＨＤＭ）の送信を行う（ＳＴ５０５）。
【００６３】
以上説明のように、上記した本発明の実施の形態に係わる無線通信端末によれば、ＭＡＨＨＯ動作開始時捕捉可能性の高いハンドオフ候補周波数からサーチを開始し、ハンドオフ条件を満たす周波数が見つかったときにカウンタ１２７を＋１更新し、カウンタ１２７が２以上になった段階で所定時間経過（タイムアウト）していたときに、カウンタ１２７がカウントした値分のハンドオフ候補周波数のパイロット測定結果報告を行うものであり、このことにより、基地局２は、複数の周波数を割り当てることができるために自由度が増し、したがって基地局２のトラフィックを軽減することができる。
また、タイマ１２６に設定する初期値（計時時間）を、音切れが目立たない（ユーザが意識しない）時間に設定することで、音途切れの対策の効果も維持することができる。
【００６４】
なお、図４、図５に示すフローチャートは、本発明の実施の形態にかかわる無線通信端末１、あるいは基地局２の動作説明の他に、本発明の無線通信システムにおけるハンドオフ方法の各工程についても併せて示している。
【００６５】
すなわち、本発明の実施の形態に係わるハンドオフ方法は、複数の基地局２との間で無線通信を行う無線通信端末１において、現在通信中の周波数から他の周波数に通信チャネルを切替えて継続するハンドオフ方法であって、ハンドオフ候補周波数のサーチを要求するサーチ要求を受信するサーチ要求受信ステップ（図４のＳＴ４０１）と、通信中に前記サーチ要求受信ステップが生じると、ハンドオフ候補周波数に切替えてサーチを行う候補周波数サーチステップ（ＳＴ４０２〜ＳＴ４０４）と、前記候補周波数サーチステップが生じてから所定時間経過したときに、ハンドオフ候補の条件を満たす周波数が複数見つかっているかどうか判定する判定ステップ（ＳＴ４０５〜ＳＴ４０８）と、前記判定ステップにて前記条件を満たす周波数が複数見つかっている場合、サーチを止めるとともに元の周波数に切替えるサーチ停止ステップ（ＳＴ４０７“Ｙｅｓ”〜）と、前記判定ステップにて所定時間経過しても条件を満たす周波数が複数見つかっていない場合、ハンドオフ候補周波数のサーチを継続するサーチ継続ステップ（ＳＴ４０７“Ｎｏ”〜）と、前記元の周波数にて、前記条件を満たす周波数に関する情報をサーチ結果として送信させる結果報告ステップ（ＳＴ４０９）と、を有するものである。
【００６６】
上記した本発明の実施の形態にかかわるハンドオフ方法によれば、基地局２に報告するハンドオフ候補周波数を複数設定でき、かつ、音切れの時間を短縮することによりユーザに意識させにくくする音切れ対策の効果を失わないようにすることができる。
【００６７】
なお、本発明は上記した実施の形態には限定されない。すなわち、本発明の実施に際しては、本発明の技術的範囲またはその均等の範囲内において、上記した実施形態の各構成要素に関し、様々な変更、コンビネーション、サブコンビネーション、並びに代替を行ってもよい。また、上記した実施の形態では、旧８００ＭＨｚ、新８００ＭＨｚ、２ＧＨｚ帯の３種の周波数帯に対応可能な無線通信システム１００について説明したが、本発明はこれには限定されない。上記した３種以外の周波数帯に対応した無線通信システムでも良いし、対応する周波数帯の種類の数も３種に限らず、何種でも良い。
【図面の簡単な説明】
【００６８】
【図１】ＭＡＨＨＯ動作を行う場合の無線通信システムの代表的なシーケンスを説明するために引用した図である。
【図２】ＭＡＨＨＯ使用時における無線通信端末の動作を説明するために引用したフローチャートである。
【図３】本発明の実施の形態に係わる無線通信端末の構成を示すブロック図である。
【図４】本発明の実施の形態に係わる無線通信端末の動作を説明するために引用したフローチャートである。
【図５】基地局の動作を説明するために引用したフローチャートである。
【符号の説明】
【００６９】
１…無線通信端末、１１…通信部、１２…制御部、１３…記憶部、１４…音声処理部、１５…スピーカ（ＳＰ）、１６…マイク（ＭＩＣ）、１７…表示部、１８…操作部、１２０…ハンドオフ処理部、１２１…メッセージ交換部、１２２…パラメータ記憶部、１２３…サーチ制御部、１２４…パイロット信号強度測定部、１２５…周波数設定部、１２６…タイマ、１２７…カウンタ。
【図１】
2008160463.tif 000003
【図２】
2008160463.tif 000004
【図３】
2008160463.tif 000005
【図４】
2008160463.tif 000006
【図５】
2008160463.tif 000007